(57)【特許請求の範囲】
【請求項１】
一又は二以上の会議室における予約及び／又は利用に関する情報を予約情報として管理する管理サーバと、前記会議室のそれぞれに設けられた部屋前端末が通信ネットワークにより通信可能に接続された会議室予約システムであって、
前記予約情報は、
利用者を識別する利用者識別情報と、
利用する会議室を識別する会議室識別情報と、
利用開始予定日時及び利用終了予定日時を示す利用予定情報と、
利用の状態及び／又は実際に利用した日時を示す利用情報と、
を少なくとも有し、
前記管理サーバは、
前記予約情報を記録する記録手段と、
前記管理サーバの操作を行う操作端末、前記部屋前端末のいずれかの端末からの要求を受信して、前記予約情報の取得、登録、変更、又は削除を行う予約情報管理手段と、
を備え、
前記部屋前端末は、
ＩＣカードリーダ装置と、
該ＩＣカードリーダ装置を用いて利用者が所持するＩＣカードを読取ることにより利用者を特定する利用者特定手段と、
該部屋前端末が設けられた会議室についての前記予約情報にもとづいて、前記会議室の状況を表示する部屋前状況表示手段と、
前記部屋前端末が設けられた会議室について、前記特定した利用者を識別する前記利用者識別情報を有する前記予約情報を登録することにより、前記部屋前端末が設けられた会議室のみの利用を予約する部屋前予約手段と、
前記部屋前端末が設けられた会議室について、現在時刻における利用を予定する前記予約情報を、前記特定した利用者と前記予約情報が有する前記利用者識別情報により識別される利用者が一致した場合に、利用が開始されたことを示す情報を前記利用情報として有するように変更する利用開始手段と、
前記部屋前端末が設けられた会議室について、現在時刻における利用を予定する前記予約情報を、前記特定した利用者と前記予約情報が有する前記利用者識別情報により識別される利用者が一致した場合に、利用が終了したことを示す情報を前記利用情報として有するように変更する利用終了手段と、
を備えたことを特徴とする、会議室予約システム。
【請求項２】
前記会議室予約システムは、前記管理サーバと前記通信ネットワークを介して通信可能に接続され、前記予約情報の一覧を表示する案内表示手段を備えた総合案内端末をさらに備える
ことを特徴とする、請求項１記載の会議室予約システム。
【請求項３】
前記案内表示手段は、現在利用中の前記会議室の一覧と、現在利用されていない前記会議室の一覧と、現在以降であって当日中に利用が予定される前記予約情報の一覧と、を切り替えて表示する
ことを特徴とする、請求項２記載の会議室予約システム。
【請求項４】
前記案内表示手段は、前記現在利用中の前記会議室の一覧と、前記現在利用されていない前記会議室の一覧と、前記現在以降であって当日中に利用が予定される前記予約情報の一覧と、を所定時間ごとに切り替えて表示するようにしたことを特徴とする、請求項３記載の会議室予約システム。
【請求項５】
前記部屋前端末はタブレット型コンピュータであることを特徴とする、請求項１〜４のいずれかに記載の会議室予約システム。
【請求項６】
前記管理サーバは、現在時刻における利用を予定する前記予約情報であって、前記利用開始予定日時から所定時間経過した予約情報に対して、前記利用が開始されたことを示す情報を前記利用情報として有しない場合に予約をキャンセルする処理を行う、予約キャンセル手段をさらに備えた
ことを特徴とする、請求項１〜５のいずれかに記載の会議室予約システム。
【請求項７】
前記管理サーバは、所定のグループウェアシステムが保有する会議室の予約に関する情報と前記記録手段により記録される予約情報を同期する、グループウェア連携手段をさらに備えたことを特徴とする、請求項５又は６に記載の会議室予約システム。
【請求項８】
前記管理サーバは、前記記録手段が記録する所定の前記予約情報を所定のファイル形式で出力する、ログ出力手段をさらに備えたことを特徴とする、請求項５〜７のいずれかに記載の会議室予約システム。
【請求項９】
前記予約情報は、前記会議室の利用内容を示す利用内容情報、及び、前記利用内容を示す情報の少なくとも一部について前記部屋前端末における表示の有無を制御する表示制御情報をさらに有する
ことを特徴とする、請求項５〜８のいずれかに記載の会議室予約システム。
【請求項１０】
前記操作端末は、さらに、利用者が操作を行う際の使用言語を切り替える言語選択手段を備えた
ことを特徴とする、請求項５〜９のいずれかに記載の会議室予約システム。
【請求項１１】
前記部屋前端末は、該部屋前端末が設けられた前記会議室についての任意の前記予約情報における前記利用終了予定日時を、該利用終了予定日時以降の日時であって他の予約情報により利用の開始が予定されていない日時までの任意の日時に変更する、利用延長手段をさらに備えた
ことを特徴とする、請求項５〜１０のいずれかに記載の会議室予約システム。
【請求項１２】
前記部屋前状況表示手段は、前記部屋前端末が設けられた会議室における現在の予約又は利用の状況に応じた所定の操作を行うためのアイコンを、前記部屋前端末が備える表示装置に表示する
ことを特徴とする、請求項５〜１１のいずれかに記載の会議室予約システム。
【請求項１３】
前記部屋前端末は、
前記会議室に備えられたスピーカ装置と接続され、
前記予約情報が有する前記利用終了予定日時の所定時間前に、前記会議室の利用時間が終了する旨のアナウンスを前記スピーカ装置により出力する利用終了通知手段をさらに備えた
ことを特徴とする、請求項５〜１２のいずれかに記載の会議室予約システム。
【請求項１４】
前記部屋前端末は、
前記会議室に備えられた装置を制御する制御装置と接続され、
前記利用開始手段は、
前記制御装置により前記装置の電源をＯＮにする
ことを特徴とする、請求項５〜１３のいずれかに記載の会議室予約システム。
【請求項１５】
前記部屋前端末は、
前記予約情報が有する前記利用者識別情報から、該利用者識別情報によって識別される利用者に関する所定の区分情報を取得する利用者区分取得手段と、
前記取得した区分にもとづいて、前記制御装置により前記装置を所定の調整値に調整する装置制御手段と、をさらに備えた
ことを特徴とする、請求項１４記載の会議室予約システム。
【請求項１６】
前記会議室予約システムは、前記会議室のそれぞれに設けられ、前記管理サーバと前記通信ネットワークを介して通信可能な部屋内端末をさらに備え、
前記部屋内端末は、前記利用開始手段と、前記利用終了手段と、を備えた
ことを特徴とする、請求項５〜１５のいずれかに記載の会議室予約システム。
【請求項１７】
前記部屋内端末は、前記利用者が所持するスマートフォンである
ことを特徴とする、請求項１６記載の会議室予約システム。
【請求項１８】
前記予約情報は、さらに、予約情報を登録した利用者以外の利用者を参加者として識別する参加者識別情報として有し、
前記利用開始手段は、前記特定した利用者が、前記予約情報の利用者識別情報又は参加者識別情報のいずれか一つが一致した場合に、前記予約情報を変更する
ことを特徴とする、請求項５〜１７のいずれかに記載の会議室予約システム。
【請求項１９】
前記部屋前端末はＷＥＢクライアントであり、
前記管理サーバは、前記部屋前端末から受信したＨＴＴＰリクエストにもとづいて所定のＨＴＭＬプログラムをＨＴＴＰレスポンスとして返信する、ＷＥＢサーバである
ことを特徴とする、請求項５〜１８のいずれかに記載の会議室予約システム。
【請求項２０】
コンピュータを請求項１９の管理サーバとして動作させるためのプログラム。
【発明の詳細な説明】
【技術分野】
【０００１】
本発明は会議室予約システムに関し、具体的には、簡便なインタフェースで利用可能な会議室予約システムに関する。
【背景技術】
【０００２】
従来から、会議室等の施設を予約するための会議室予約システムとして、例えば特許文献１の会議室管理システムが知られている。この会議室管理システムは、予約管理用のコンピュータ１にネットワークを介して接続された予約端末から、会議室の予約を行うことができる。
【先行技術文献】
【特許文献】
【０００３】
【特許文献１】特開平５−８１２８５号公報
【発明の概要】
【発明が解決しようとする課題】
【０００４】
会議室の予約を行う際には、当該予約の変更や、実際の会議室の利用を行う者の認証をするために、暗証番号等を入力させる場合がある。また、従来の会議室予約システムは、利用者が各自使用するパーソナル・コンピュータ等から所定の管理サーバ装置と通信することにより予約の登録、変更、削除等を行うものが一般的であるが、予約の際には上記暗証番号等に加えて利用者や会議室を識別する情報等を入力しなければならず、利用者にとって使い勝手が悪い原因となっていた。
【０００５】
本発明は前述の課題を鑑み、利用者が会議室を予約、利用する際の入力の手間を省き、簡便なインタフェースで利用しやすい会議室予約システムを提供することを、その目的とするものである。
【課題を解決するための手段】
【０００６】
前述の課題を解決するためになされた本発明に係る会議室予約システムの構成は、
一又は二以上の会議室における予約及び／又は利用に関する情報を予約情報として管理する管理サーバと、前記会議室のそれぞれに設けられた部屋前端末が通信ネットワークにより通信可能に接続された会議室予約システムであって、
前記予約情報は、
利用者を識別する利用者識別情報と、
利用する会議室を識別する会議室識別情報と、
利用開始予定日時及び利用終了予定日時を示す利用予定情報と、
利用の状態及び／又は実際に利用した日時を示す利用情報と、
を少なくとも有し、
前記管理サーバは、
前記予約情報を記録する記録手段と、
前記管理サーバの操作を行う操作端末、前記部屋前端末のいずれかの端末からの要求を受信して、前記予約情報の取得、登録、変更、又は削除を行う予約情報管理手段と、
を備え、
前記部屋前端末は、
ＩＣカードリーダ装置と、
該ＩＣカードリーダ装置を用いて利用者が所持するＩＣカードを読取ることにより利用者を特定する利用者特定手段と、
該部屋前端末が設けられた会議室についての前記予約情報にもとづいて、前記会議室の状況を表示する部屋前状況表示手段と、
前記部屋前端末が設けられた会議室について、前記特定した利用者を識別する前記利用者識別情報を有する前記予約情報を登録することにより、前記部屋前端末が設けられた会議室のみの利用を予約する部屋前予約手段と、
前記部屋前端末が設けられた会議室について、現在時刻における利用を予定する前記予約情報を、前記特定した利用者と前記予約情報が有する前記利用者識別情報により識別される利用者が一致した場合に、利用が開始されたことを示す情報を前記利用情報として有するように変更する利用開始手段と、
前記部屋前端末が設けられた会議室について、現在時刻における利用を予定する前記予約情報を、前記特定した利用者と前記予約情報が有する前記利用者識別情報により識別される利用者が一致した場合に、利用が終了したことを示す情報を前記利用情報として有するように変更する利用終了手段と、
を備えたことを特徴とする、ことを特徴としている。
【０００７】
本発明に係る会議室予約システムは、前記管理サーバが、現在時刻における利用を予定する前記予約情報であって、前記利用開始予定日時から所定時間経過した予約情報に対して、前記利用が開始されたことを示す情報を前記利用情報として有しない場合に予約をキャンセルする処理を行う、予約キャンセル手段をさらに備えていてもよい。
【０００８】
本発明に係る会議室予約システムは、前記管理サーバが、所定のグループウェアシステムが保有する会議室の予約に関する情報と前記記録手段により記録される予約情報を同期する、グループウェア連携手段をさらに備えていてもよい。
【０００９】
本発明に係る会議室予約システムは、前記管理サーバが、前記記録手段が記録する所定の前記予約情報を所定のファイル形式で出力する、ログ出力手段をさらに備えていてもよい。
【００１０】
本発明に係る会議室予約システムは、前記予約情報が、前記会議室の利用内容を示す利用内容情報、及び、前記利用内容を示す情報の少なくとも一部について前記部屋前端末における表示の有無を制御する表示制御情報をさらに有するようにしてもよく、また、前記部屋前端末が、利用者が操作を行う際の使用言語を切り替える言語選択手段を備えていてもよい。
【００１１】
本発明に係る会議室予約システムは、前記部屋前端末がタブレット型コンピュータであると好適である。また、前記部屋前端末は、該部屋前端末が設けられた前記会議室についての任意の前記予約情報における前記利用終了予定日時を、該利用終了予定日時以降の日時であって他の予約情報により利用の開始が予定されていない日時までの任意の日時に変更する、利用延長手段をさらに備えていることが望ましい。
【００１２】
本発明に係る会議室予約システムは、前記部屋前状況表示手段が、前記部屋前端末が設けられた会議室における現在の予約又は利用の状況に応じた所定の操作を行うためのアイコンを、前記部屋前端末が備える表示装置の中央に表示することが望ましい。また、前記部屋前端末は、前記会議室に備えられたスピーカ装置と接続され、前記予約情報が有する前記利用終了予定日時の所定時間前に、前記会議室の利用時間が終了する旨のアナウンスを前記スピーカ装置により出力する利用終了通知手段をさらに備えていてもよい。
【００１３】
本発明に係る会議室予約システムは、前記部屋前端末が、前記会議室に備えられた装置を制御する制御装置と接続され、前記利用開始手段は、前記制御装置により前記装置の電源をＯＮにするようにしてもよく、また、前記予約情報が有する前記利用者識別情報から、該利用者識別情報によって識別される利用者に関する所定の区分情報を取得する利用者区分取得手段と、前記取得した区分にもとづいて、前記制御装置により前記装置を所定の調整値に調整するようにしてもよい。
【００１４】
本発明に係る会議室予約システムは、前記予約情報の一覧を表示する案内表示手段を備えた総合案内端末をさらに備え、前記総合案内端末は、前記管理サーバと前記通信ネットワークを介して通信可能に接続され、前記案内表示手段は、現在利用中の前記会議室の一覧と、現在利用されていない前記会議室の一覧と、現在以降であって当日中に利用が予定される前記予約情報の一覧と、を所定時間ごとに切り替えて表示するようにすると好適である。
【００１５】
本発明に係る会議室予約システムは、前記会議室のそれぞれに設けられ、前記管理サーバと前記通信ネットワークを介して通信可能な部屋内端末をさらに備え、前記部屋内端末は、前記利用開始手段と、前記利用終了手段と、を備えていてもよい。また、前記部屋内端末は、前記利用者が所持するスマートフォンであってもよい。
【００１６】
本発明に係る会議室予約システムは、前記予約情報が、さらに、予約情報を登録した利用者以外の利用者を参加者として識別する参加者識別情報として有し、前記利用開始手段を、前記特定した利用者が、前記予約情報の利用者識別情報又は参加者識別情報のいずれか一つが一致した場合に、前記予約情報を変更するようにしてもよい。
【００１７】
本発明に係る会議室予約システムは、前記部屋前端末がＷＥＢクライアントであり、前記管理サーバは、前記部屋前端末から受信したＨＴＴＰリクエストにもとづいて所定のＨＴＭＬプログラムをＨＴＴＰレスポンスとして返信する、ＷＥＢサーバとしてもよい。
【発明の効果】
【００１８】
本発明に係る会議室予約システムは、部屋前端末が備える部屋前予約手段と、利用開始手段と、利用終了手段が、利用者特定手段によって利用者を特定した上で行われる。このとき、利用者の特定は当該利用者が所持するＩＣカードを部屋前端末が備えるＩＣカードリーダ装置で読み取ることで行われるので、利用者は暗証番号の入力等煩雑な操作をする必要がなく、簡便なインタフェースで会議室予約システムを利用することができる。
【図面の簡単な説明】
【００１９】
【図１】本発明の実施形態の一例における、全体の構成を示した図。
【図２】同実施形態におけるデータベースの構成を示したＥＲ図。
【図３】同実施形態における部屋前端末の表示画面の遷移を示した図。
【図４】同実施形態における会議室状況画面の構成を示した図。
【図５】同実施形態における予約画面の構成を示した図。
【図６】同実施形態における予約確認画面の構成を示した図。
【図７】同実施形態における会議室状況画面の構成を示した図であって、予約済み状態の構成を示した図。
【図８】同実施形態における会議室状況画面の構成を示した図であって、利用中状態の構成を示した図。
【図９】同実施形態における利用延長画面の構成を示した図。
【図１０】同実施形態における総合案内表示画面の構成を示した図。
【発明を実施するための形態】
【００２０】
以下、図面を参照して本発明の実施形態の一例について説明する。
図１は、本実施形態に係る会議室予約システムの構成を示す概要図である。図１で示すように、会議室予約システム１は、操作端末３と、総合案内端末４と、部屋前端末５が通信ネットワーク７を介して管理サーバ２と通信可能に接続されている。
【００２１】
本実施形態の会議室予約システム１は、管理サーバ２をＷＥＢサーバ、操作端末３、総合案内端末４、部屋前端末５をＷＥＢクライアントとするＷＥＢアプリケーションシステムである。すなわち、操作端末３、総合案内端末４、部屋前端末５はそれぞれＷＥＢクライアントとして機能するＷＥＢブラウザを備えており、利用者によるＷＥＢブラウザの操作等のタイミングで管理サーバ２に所定のＨＴＴＰリクエストを送信する。管理サーバ２は、上記ＨＴＴＰリクエストを受信すると所定の処理を行い、処理の結果をＨＴＴＰレスポンスとして返信する。ＨＴＴＰレスポンスを受信したＷＥＢブラウザは、当該受信した内容に応じてＷＥＢブラウザの表示等処理を行う。
【００２２】
したがって、本実施形態において、操作端末３、総合案内端末４、部屋前端末５は管理サーバ２とのみ通信可能に接続されていればよいが、各端末同士、例えば操作端末３と総合案内端末４、あるいは総合案内端末４と部屋前端末５を互いに通信可能なように構成してもよい。
【００２３】
また、会議室予約システム１において、管理サーバ２は通信ネットワーク７を介してグループウェアシステム６と通信可能に接続されている。
【００２４】
管理サーバ２は、操作端末３、総合案内端末４、部屋前端末５からのＨＴＴＰリクエストを受信して所定の処理を行うとともに、会議室の予約・利用に関する情報を予約情報として管理、すなわち、登録、変更、削除等する機能を有する装置である。
【００２５】
管理サーバ２は、ハードウェアとしては周知のサーバ装置であり、ＣＰＵとメモリ、記憶装置、入出力装置等がバスによって接続されたコンピュータである。記憶装置に格納されたプログラムがメモリにロードされ、該ロードされたプログラムの命令をＣＰＵが実行することにより、所定の処理を行うものである。また、管理サーバ２は通信ネットワーク７を介して他の構成と通信を行うため、ネットワーク通信装置を備えている。
【００２６】
管理サーバ２は、他の装置と通信を行うための通信部２１と、予約情報に関する所定の処理を行う情報管理部２２と、予約情報を管理サーバ２に記録するデータベース２３と、を備えている。
【００２７】
通信部２１は、前述の操作端末３、総合案内端末４、部屋前端末５と通信を行う。本実施形態の会議室予約システム１はＷＥＢアプリケーションシステムであり、通信部２１は具体的にはＨＴＴＰリクエストを受信して所定の処理を行い、ＨＴＴＰレスポンスを返信するＨＴＴＰサーバである。
【００２８】
通信部２１は、例えば画像等の静的なコンテンツをＨＴＴＰリクエストにより要求された場合には通信部２１自身により記録装置等から取得し、ＨＴＴＰレスポンスとして返信する。また、予約情報の取得等、動的なコンテンツを要求された場合には情報管理部２２に処理を要求し、情報管理部２２の処理結果をＨＴＴＰレスポンスとして返信する。
【００２９】
情報管理部２２は、通信部２１から要求された処理を行う。具体的にはいわゆるＷＥＢアプリケーション・サーバと、その他所定のプログラム群により構成される。ＷＥＢアプリケーション・サーバは、ＨＴＴＰサーバから転送等されたＨＴＴＰリクエストを受信し、記録部２３へのアクセス等所定の処理を行った後、処理結果をＨＴＴＰレスポンスとしてＨＴＴＰサーバに返信する。ＨＴＴＰサーバは返却されたＨＴＴＰレスポンスを自身によるＨＴＴＰレスポンスとして返信する。
【００３０】
なお、本実施形態ではＨＴＴＰサーバとＷＥＢアプリケーション・サーバを別個のものとして構成しているが、ＷＥＢサーバとして機能する構成としてはＷＥＢアプリケーション・サーバの機能をＨＴＴＰサーバに内包するものであってもよい。また、通信部２１が受信するすべてのＨＴＴＰリクエストを情報管理部２２が処理しなければならないわけではなく、前述したように画像等の静的なコンテンツは情報管理部２２を介さずに通信部２１が管理サーバ２の記録装置から直接取得等してよい。
【００３１】
データベース２３は、予約情報等、予約管理システム１により扱われる所定の情報を記録する記録手段を提供する。データベース２３としては周知のデータベースを用いることができるが、本実施形態におけるデータベース２３はリレーショナル・データベース・マネージメント・システム（以下、ＲＤＢＭＳという）であり、情報管理部２２からの要求により、予約情報等を記録装置に登録、変更、削除するものである。
【００３２】
なお、本実施形態における管理サーバ２は単一のサーバ装置であるが、複数のサーバ装置群によってこれを構成してもよい。例えば、通信部２１、情報管理部２２、データベース２３をそれぞれ別個のサーバ装置に設け、該サーバ装置群が通信して管理サーバ２を構成するようにしてもよい。
【００３３】
操作端末３は、施設における受付担当者等、所定の従業員等が使用する端末である。
操作端末３のハードウェア構成としてはＣＰＵとメモリ、記憶装置、入出力装置等がバスにより接続された周知のコンピュータである。
【００３４】
総合案内端末４は、施設の受付やロビー等に設置される、大型のディスプレイ装置を備えた端末である。
総合案内端末４は後述するように、当日の予約状況及び利用状況を一覧表示するものであり、大型のディスプレイ装置を備えている他は一般的なコンピュータの構成である。
【００３５】
部屋前端末５は、会議室予約システム１により利用を予約する会議室ごとに、当該会議室の入口付近に設置される端末である。
【００３６】
部屋前端末５は具体的にはタブレット型コンピュータ、すなわち、ディスプレイ装置と、ＣＰＵや記録装置等が一の筐体に収められ、タッチパネルにより操作可能なコンピュータである。
【００３７】
また、部屋前端末５はカードリーダ装置５１を備えており、利用者が所有するＩＣカードを読み取って、後述する認証処理に用いることができる。カードリーダ装置５１は前述のタブレット型コンピュータと接続可能であればよく、接触式や非接触式等の周知のカードリーダ装置から任意のものを用いることができる。また、タブレット型コンピュータ自体がカードリーダ機能を備えている場合には、当該カードリーダ機能をもってカードリーダ装置５１の代わりとしてもよい。
【００３８】
また、本実施形態では、部屋前端末５が設置された会議室には該会議室の開錠・施錠、音響、映像その他装置を制御、操作等するための制御装置が設置されており、当該制御装置と部屋前端末５が通信可能に接続されることで、部屋前端末５から当該装置を制御、操作することができる。
【００３９】
グループウェアシステム６は、会議室予約システム１が連携する他の情報システムであり、会議室の予約をはじめ、利用者の管理やスケジュールの共有等を行うものである。本実施形態において、管理サーバ２は所定のタイミングでグループウェアシステム６と通信し、会議室予約システム１が管理する予約情報と、グループウェアシステム６が管理する予約情報を同期する。
【００４０】
通信ネットワーク７は、前述の管理サーバ２と、操作端末３、総合案内端末４、部屋前端末５、グループウェアシステム６を通信可能に接続するためのネットワークである。通信経路は有線であっても無線であってもよく、これらを組み合わせたものであってもよい。また、通信ネットワーク７は単一のネットワークセグメントであってもよいし、複数のネットワークセグメントの集合体であってもよい。すなわち、会議室予約システム１を設ける施設内等におけるローカルなネットワークであってもよいし、インターネットのような広域ネットワークを用いてもよい。さらに、例えば管理サーバ２と操作端末３、総合案内端末４、部屋前端末５を通信可能に接続するネットワークと、管理サーバ２とグループウェアシステム６を通信可能に接続するネットワークを別のネットワークセグメントとしてもよい。通信ネットワーク７は上記の構成を通信可能に接続できれば、その具体的な構成は適宜周知のネットワーク技術を用いることができる。
【００４１】
以上が本実施形態における会議室予約システム１、及び会議室予約システム１が連携するグループウェアシステムの構成である。
【００４２】
図２は、データベース２３におけるデータの論理的な構成を模式的に示したエンティティ―リレーションシップ図（ＥＲ図）である。図２で示すように、会議室予約システム１におけるデータの構成として、会議室エンティティＥ１と、利用者エンティティＥ２と、予約エンティティＥ３がデータベース２３で管理される。
【００４３】
会議室エンティティＥ１は、会議室に関する情報をデータベース２３で管理するためのエンティティであり、属性として、会議室を一意に識別する会議室ＩＤ、及び会議室名を有している。
【００４４】
利用者エンティティＥ２は、会議室を利用する利用者に関する情報をデータベース２３で管理するためのエンティティである。利用者エンティティＥ２は、属性として、利用者を一意に識別する利用者ＩＤと、利用者名、利用者が所持するＩＣカードの識別情報であるＩＣカード識別コード、利用者の区分を示す利用者区分を有している。
【００４５】
予約エンティティＥ３は、会議室の予約と利用に関する情報をデータベース２３で管理するためのエンティティである。予約エンティティＥ３は、予約情報を一意に識別する予約ＩＤと、予約する会議室を識別する会議室ＩＤ、予約した利用者を識別する利用者ＩＤ、会議室を利用する開始日時及び終了日時、予約情報の状態を示す予約ステータス、利用目的の概要を示す利用内容、予約した会議室を実際に利用した際の利用開始日時及び終了日時を属性として有している。また予約エンティティＥ３の属性である予約ステータスは、予約情報の状態として予約済み、利用中、利用済み、キャンセル済み、のいずれかを示す情報を保持する。
【００４６】
本実施形態におけるデータベース２３が管理するデータは上記のように構成されているが、これに他のエンティティや属性を付与してもよく、上記をさらに正規化又は非正規化した構成としてもよい。例えば、予約エンティティＥ３に予約内容表示／非表示を判別するフラグを設け、部屋前端末５や総合案内端末４における予約表示の内容を制限してもよい。
【００４７】
次に、会議室予約システム１における、部屋前端末５を用いた会議室の予約の処理の流れを説明する。図３は、部屋前端末５における会議室予約時の画面遷移を示した図である。部屋前端末５は、当該部屋前端末５のディスプレイ装置に会議室状況画面Ｗ１０１を表示している。
【００４８】
会議室状況画面Ｗ１０１には、図４で示すように、会議室名Ｗ１０１ａと、現在日時Ｗ１０１ｂと、状況アイコンＷ１０１ｃと、操作アイコンＷ１０１ｄと、所定の操作をするためのメニューＷ１０１ｆ〜ｊからなる操作メニューＷ１０１ｅと、利用可能時間Ｗ１０１ｋが表示されている。
【００４９】
会議室名Ｗ１０１ａは、部屋前端末５が設置された会議室を特定する名称であり、会議室ごとに、前述の会議室エンティティＥ１の属性である会議室名としてデータベース２３に格納された名称である。
【００５０】
状況アイコンＷ１０１ｃは、部屋前端末５が設置された会議室の現在日時における状態を示すアイコンであり、会議室状況画面Ｗ１０１の略中央に配置されている。現在日時において当該部屋前端末５が設置された会議室の予約が存在しない、すなわち、部屋前端末５が設置された会議室の会議室ＩＤを有し、現在日時が開始予定日時から終了予定日時の間に属する予約エンティティＥ３がデータベース２３に存在しない場合には、図４で示すように空室を示す表示がされる。
【００５１】
利用可能時間Ｗ１０１ｋは、現在日時において、部屋前端末５が設置された会議室をいつまで利用することができるかを示す表示であり、現在日時から直近の予約における利用開始時間まで、すなわち、部屋前端末５が設置された会議室の会議室ＩＤが設定され、現在日時以降を開始予定日時とする予約エンティティＥ３のうち、最も早い開始予定日時までの時間を表示する。
【００５２】
操作アイコンＷ１０１ｄは、会議室の現在の状況、すなわち、状況アイコンＷ１０１ｃの種類に対応した一の操作を行うアイコンであり、操作メニューＷ１０１ｆ〜ｊに表示されたメニューの一をアイコンで表示したものである。
【００５３】
状況アイコンＷ１０１ｃが空室を表示する状態では、操作アイコンＷ１０１ｄは認証画面Ｗ２０１を介して予約画面Ｗ３０１に遷移する予約メニューＷ１０１ｇがアイコンとして表示されている。
【００５４】
状況アイコンＷ１０１ｃが空室状態の場合に、操作アイコンＷ１０１ｄ又は予約メニューＷ１０１ｇを選択すると、部屋前端末５はディスプレイ装置に所定の認証画面Ｗ２０１（図示しない）を表示する。
【００５５】
認証画面Ｗ２０１には、部屋前端末５のカードリーダ装置５１で利用者が所持するＩＣカードを読み取らせるよう促すメッセージが表示されており、当該メッセージにしたがって利用者がＩＣカードをカードリーダ装置５１で読み取ると、部屋前端末５は当該読み取った情報に含まれるＩＣカード識別コードをもとに認証処理を管理サーバ２に要求する。
【００５６】
認証処理の要求は部屋前端末５から管理サーバ２に前述のＩＣカード識別情報を含んだＨＴＴＰリクエストが送信されることで行われる。
管理サーバ２は上記ＨＴＴＰリクエストを受信すると、当該受信したＨＴＴＰリクエストに含まれるＩＣカード識別コードが設定された利用者エンティティＥ２をデータベース２３から検索する。
【００５７】
検索の結果、該当する利用者エンティティＥ２が存在すれば認証に成功したものとして、管理サーバ２は予約画面Ｗ３０１を表示するためのＨＴＭＬコードをＨＴＴＰレスポンスとして部屋前端末５に返信する。一方で、該当する利用者エンティティＥ２がデータベース２３に存在しない場合は認証に失敗したものとして、所定のエラー画面（図示しない）を表示するＨＴＭＬコードをＨＴＴＰレスポンスとして返信する。なお、認証処理には利用者エンティティＥ２のＩＣカード識別コードに加えて、他の属性を用いてもよい。例えば、所定の区分の利用者のみが利用できる会議室を予約する際には、当該会議室を予約可能な利用者を利用者エンティティＥ２の利用者区分によって判別してもよい。また、利用者エンティティＥ２に使用可能な操作の権限に関する情報を属性として設定等することにより、認証画面以降に表示される画面において利用可能な機能を制限等してもよい。
【００５８】
予約画面Ｗ３０１は、図５で示すように、会議室名Ｗ３０１ａと、当日の日付Ｗ３０１ｂと、利用開始・終了時刻Ｗ３０１ｃと、件名Ｗ３０１ｄと、予約者Ｗ３０１ｅと、会議室状況Ｗ３０１ｆと、予約ボタンＷ３０１ｇと、が表示されている。
【００５９】
予約画面Ｗ３０１において、利用開始・終了時刻Ｗ３０１ｃ及び件名Ｗ３０１ｄはプルダウンメニュー形式で選択した値が入力される入力フォームであり、当該入力フォームに値を入力して予約ボタンＷ３０１ｇを選択すると、予約確認画面Ｗ３０２に遷移する。また、予約者Ｗ３０１ｅは、利用者エンティティＥ２の属性である利用者名の値が、データベース２３から取得されて表示される。
【００６０】
予約確認画面Ｗ３０２は、予約処理の確認作業を行うための画面であり、図６で示すように、予約に関する情報である会議室名Ｗ３０２ａと、予約日Ｗ３０２ｂと、利用開始・終了時刻Ｗ３０２ｃと、件名Ｗ３０２ｄと、予約者名Ｗ３０２ｅが表示され、当該表示項目を確認した利用者が予約処理を行う場合に選択する予約実行ボタンＷ３０２ｆと、遷移元画面である予約画面Ｗ３０１に遷移し、入力フォームへの入力を再度行うための戻るボタンＷ３０２ｇが表示されている。
【００６１】
会議室名Ｗ３０２ａ、予約日Ｗ３０２ｂ、利用開始・終了時刻Ｗ３０２ｃ、件名Ｗ３０２ｄ、予約者名Ｗ３０２ｅは、遷移元画面である予約画面Ｗ３０１の各表示に対応している。
利用者は当該表示を目視により確認し、表示された内容で予約を行いたい場合は予約実行ボタンＷ３０２ｆを選択する。
【００６２】
予約内容を確認した利用者が予約実行ボタンＷ３０２ｆを選択すると、部屋前端末５はＨＴＴＰリクエストを生成し、管理サーバ２に送信する。このＨＴＴＰリクエストにはデータベース２３に予約エンティティＥ３を登録するためのパラメータとして会議室ＩＤ、利用者ＩＤ、開始予定日時、終了予定日時、件名が含まれている。
【００６３】
管理サーバ２が前述のＨＴＴＰリクエストを受信すると、当該ＨＴＴＰリクエストに含まれるパラメータの妥当性を検証したうえで、当該パラメータにもとづいて予約エンティティＥ３をデータベース２３に登録する。このとき、予約エンティティＥ３を一意に識別する予約ＩＤが生成されるとともに、予約ステータスとして予約済みが設定される。
【００６４】
データベース２３への登録が完了すると、管理サーバ２は登録後の遷移先画面として会議室状況画面Ｗ１０１を表示するＨＴＭＬコードをＨＴＴＰレスポンスとして返信する。部屋前端末５はこれを受信し、ディスプレイ装置に表示する。
【００６５】
以上が、会議室予約システム１における会議室の予約の処理の流れである。本実施形態では、予約エンティティＥ３が利用者ＩＤを備えることにより当該予約エンティティＥ３がどの利用者により登録されたかを判別することができるが、さらに、登録をおこなった利用者以外の利用者を参加者として予約エンティティＥ３から判別できるようにしてもよい。この場合には、データベース２３において、予約エンティティＥ３に参加者となる利用者を特定するための参加者ＩＤを属性として設ける、或は、予約ＩＤと利用者ＩＤからなるいわゆる交差用のエンティティを新たに設けるとともに、予約画面Ｗ３０１において参加者を追加するための入力フォームを設けることで、前述の管理サーバ２による予約エンティティＥ２の登録処理において上記参加者に関する情報をデータベース２３に登録することができる。
【００６６】
次に、予約した会議室の利用に関する処理の流れについて説明する。
現在日時が開始予定日時と終了予定日時の間にある予約済み状態の予約エンティティＥ３が存在する場合には、部屋前端末５の会議室状況画面Ｗ１０１は図７で示すように表示される。
【００６７】
会議室状況画面Ｗ１０１において、状況アイコン１０１ｃは予約済みを示す表示がされ、利用可能時間Ｗ１０１ｋに変わって開始予定時刻Ｗ１０１ｌが表示される。また、操作アイコンＷ１０１ｄはチェックインメニューＷ１０１ｈをアイコン化したものが表示される。なお、本実施形態では現在日時が予約エンティティＥ３の開始予定日時以降である場合に会議室状況画面Ｗ１０１の状況アイコン１０１ｃを予約済みにするものとしたが、例えば開始予定日時の所定時間前から予約済みとするようにしてもよい。
【００６８】
この状態において操作アイコンＷ１０１ｄ又はチェックインメニューＷ１０１ｈを選択すると、会議室状況画面Ｗ１０１は認証画面Ｗ２０１による認証処理を経て、管理サーバ２に会議室の利用を開始する旨のＨＴＴＰリクエストを送信する。
利用開始時における認証処理は、前述の予約登録時の処理に加えて、カードリーダ装置５１で読み取ったＩＣカード識別コードが設定された利用者エンティティＥ２の利用者ＩＤが、利用を開始する予約エンティティＥ３の利用者ＩＤとして設定されているか否かを判断する。
【００６９】
管理サーバは、ＨＴＴＰリクエストを受信すると該当する予約エンティティＥ３を更新し、開始日時を設定するとともに予約ステータスを利用中に変更する。データの更新が終了すると管理サーバはＨＴＴＰレスポンスを返信し、当該ＨＴＴＰレスポンスを受信した部屋前端末５は、当該ＨＴＴＰレスポンスに含まれるＨＴＭＬコードにもとづいて会議室状況画面Ｗ１０１を再表示し、利用開始の処理が終了する。
【００７０】
また、本実施形態では前述の利用処理において、部屋前端末５が管理サーバ２からＨＴＴＰレスポンスを受信した際、前述の制御装置を用いて会議室の開錠を行う。また、照明や音響、空調等、会議室に設けられた所定の装置の電源をＯＮ状態にしてもよい。このとき、利用者エンティティＥ２の利用者区分にもとづいて、あらかじめ設定された値に当該装置の調整を行ってもよい。なお、上記利用者区分は、一般社員やゲスト等を判別するものであってもよいし、性別や年齢等の区分であってもよく、利用者エンティティＥ２に複数の属性を設けて、当該複数の属性を用いて判断してもよい。なお、本実施形態のデータベース２３は予約エンティティＥ３が一の利用者エンティティＥ２と紐づいているが、前述したように、予約エンティティＥ３と参加者、すなわち登録処理をした利用者以外の利用者エンティティＥ２を紐づけるようにしてもよく、この場合の利用開始時における認証処理は、登録処理を行った利用者のみではなく、参加者として登録された利用者でも認証に成功するようにしてよい。また、前述の利用者区分による装置の調整は、予約を登録した利用者の利用者区分以外に、参加者となる利用者の利用者区分にもとづいて行うようにしてもよい。例えば、一般社員、役員等の役職やゲストか否かにより、登録した利用者及び参加者の中からどの利用者或は参加者の利用者区分に基づいて装置の調整を行うかを決定した上で、当該利用者区分に基づいて装置を調整するようにしてもよい。
【００７１】
利用が開始された状況における会議室状況画面Ｗ１０１は、図８で示すように、状況アイコンＷ１０１ｃが利用中を示す表示となり、開始予定時刻Ｗ１０１ｌに変わって、利用終了までの予定時間を示す利用時間Ｗ１０１ｍが表示される。また、操作アイコンＷ１０１ｄには利用延長メニューＷ１０１ｊがアイコン表示される。
【００７２】
この状態における操作アイコンＷ１０１ｄ、又は利用延長メニューＷ１０１ｊを選択すると、認証画面Ｗ２０１を介して認証処理を行ったうえで利用延長画面Ｗ４０１に遷移する。利用延長における認証処理は利用開始における認証処理と同一のものでよい。
【００７３】
利用延長画面Ｗ４０１は、図９で示すように、利用を延長する時間を選択する延長時間選択アイコンＷ４０１ａと、利用延長確定ボタンＷ４０１ｂと、利用可能時間Ｗ４０１ｃが表示されている。
【００７４】
延長時間選択アイコンＷ４０１ａは、１５分ごとに希望する延長時間をアイコン表示したものである。また、選択可能な延長時間は、直近の他の予約となる予約エンティティＥ３の開始予定日時を超えないものに限られる。また、利用可能時間Ｗ４０１ｃには、次の予約、すなわち、現在利用中の予約エンティティＥ３の終了予定時刻日時に同一の会議室を使用する直近の予約エンティティＥ３の開始予定日時が表示される。
【００７５】
利用者が希望する延長時間を選択して利用延長確定ボタンＷ４０１ｂを選択すると、部屋前端末５は予約エンティティＥ３の予約ＩＤと延長時間をパラメータに含むＨＴＴＰリクエストを管理サーバ２に送信し、これを受信した管理サーバ２が予約エンティティＥ３を更新することで、利用延長処理が行われる。
【００７６】
また、チェックアウトメニューＷ１０１ｉを選択した場合には、認証画面Ｗ２０１を介して認証処理を行ったうえで、会議室の利用を終了する処理が行われる。利用終了処理は、他の処理と同様に部屋前端末５から送られたＨＴＴＰリクエストを管理サーバ２が受信し、当該受信したＨＴＴＰリクエストにもとづいて予約エンティティＥ３を更新することで行われる。このとき、管理サーバ２は予約エンティティＥ３の終了日時を設定するとともに、予約ステータスを利用済みに変更する。データベース２３の更新が終了すると、管理サーバ２はＨＴＴＰレスポンスを返信し、部屋前端末５が当該ＨＴＴＰレスポンスを受信して会議室状況画面Ｗ１０１を更新する。このとき、部屋前端末５は会議室の施錠をおこなうとともに、前述の制御装置を介して会議室内の装置の電源をＯＦＦにする。
【００７７】
以上が部屋前端末５を用いた会議室の利用に関する処理の流れである。
本実施形態では、部屋前端末５がタブレット型コンピュータにより構成されることでタッチパネルによる操作を可能とするとともにカードリーダ装置５１を備え、該カードリーダ装置５１で利用者のＩＣカードを読み取ることにより所定の認証処理が行われる。タブレット型コンピュータを用いてタッチパネル操作を行う場合、ディスプレイ装置にキーボードを模したいわゆるソフトウェアキーボードを表示し、当該ソフトウェアキーボードにより所定の入力作業を利用者に行わせることが通常である。しかし、ソフトウェアキーボードは一般のキーボード装置よりも入力操作が難しく、また、ソフトウェアキーボードを表示することにより画面の表示領域が実質的に減ってしまう。認証処理を要する情報システムの場合は、予約時にソフトウェアキーボードを用いて暗証番号等のパスワードを入力させ、利用時に当該パスワードを用いて認証することが考えられるが、本実施形態ではカードリーダ装置５１により利用者のＩＣカードを読み取るのみで認証処理を行うことができる。
【００７８】
さらに、本実施形態では管理対象となる会議室ごとに部屋前端末５を設置しており、各部屋前端末５は当該部屋前端末５を設置した会議室に関する予約、利用等のみを行うことができる。これにより予約や利用の際に対象となる会議室を特定する必要がなく、各操作のインタフェースをシンプルでわかりやすいものとすることができる。
【００７９】
また、部屋前端末５は、当該部屋前端末５が設置された会議室が利用中の場合に、終了予定日時の所定時間前のタイミングで会議室の利用終了を利用者に通知する。
部屋前端末５は前述の通り、会議室に設置された制御装置を介して会議室が備える音響装置、具体的にはスピーカ装置と接続されており、上記タイミングでスピーカ装置から予定終了時間が迫っている旨の音声アナウンスを行う。なお、上記音声アナウンスに用いられる音声情報は、利用者エンティティＥ２の利用者区分にもとづいて決定されるようにしてもよい。また、前述したように、利用者以外の利用者を参加者として予約エンティティＥ３に紐づけている場合には、参加者の利用者区分にもとづいて上記決定してもよい。例えば、社員のみで会議が行われる場合には会議室利用の注意点についての通知を含めた音声アナウンスを行う一方で、ゲストが参加する会議では当該注意点についての通知を省いた音声アナウンスを行うようにしてもよい。
【００８０】
図１０は、総合案内端末４のディスプレイ装置に表示される画面の構成を示したものである。図１０で示すように、総合案内端末４には時刻表示Ｗ６０１ａ、利用中会議室一覧Ｗ６０１ｂ、会議室予約一覧Ｗ６０１ｃ、空室一覧Ｗ６０１ｄを備えた総合案内画面Ｗ６０１が表示される。
【００８１】
時刻表示Ｗ６０１ａは現在時刻を表示するものであり、デジタル表示の時刻を囲う中央の円状模様と、当該円状模様の周囲に、アナログ時計の長針及び短針を模した円状模様が配されている。
【００８２】
利用中会議室一覧Ｗ６０１ｂは、現在日時において利用中の会議室を一覧表示するものである。本実施形態では、総合案内端末４が定期的に管理サーバ２にＨＴＴＰによる問い合わせを行い、予約ステータスが利用中である予約エンティティＥ３を取得して、一覧形式で表示を行う。
【００８３】
会議室予約一覧Ｗ６０１ｃは、利用が開始されていない当日の予約を一覧表示するものである。本実施形態では、総合案内端末４が定期的に管理サーバ２にＨＴＴＰによる問い合わせを行い、開始予定日時が当日中であって予約ステータスが予約済みの予約エンティティＥ３を取得し、一覧形式で表示する。
【００８４】
空室一覧Ｗ６０１ｄは、各会議室において予約も利用もされていない時間を一覧表示するものである。本実施形態では、総合案内端末４が定期的に管理サーバ２にＨＴＴＰによる問い合わせを行い、予約エンティティＥ３の内容にもとづいて、会議室ごとに空室時間を取得し、一覧表示する。
【００８５】
本実施形態では、総合案内端末４の総合案内画面Ｗ６０１は表示専用の画面構成となっており、入力フォームや選択可能なメニュー等は存在していない。会議室の予約や利用に関する操作は部屋前端末５又は操作端末３を用いることとし、総合案内端末４は案内表示のみを行うものとする構成により、総合案内端末４はディスプレイ装置の描画領域すべてを案内表示の目的に使用することができ、シンプルでわかりやすい案内表示画面を構成することができる。
【００８６】
また、本実施形態における総合案内画面Ｗ６０１は、図１０で示すように利用中会議室一覧Ｗ６０１ｂ、会議室予約一覧Ｗ６０１ｃ、空室一覧Ｗ６０１ｄの三種類の一覧表示を一の画面に表示する構成としているが、各一覧表示を一の画面に表示する構成とした上で所定時間ごとに画面を切り替えるようにしてもよい。
【００８７】
本実施形態では、管理サーバ２は定期的にデータベース２３の予約エンティティＥ３を検索し、所定の条件に合致する予約を自動的にキャンセルする処理を行う。
【００８８】
キャンセル処理は、具体的にはデータベース２３の所定の予約エンティティＥ３を更新し、予約ステータスをキャンセル済みに変更する処理である。本実施形態では、所定の時間ごとに、予約済み状態の予約エンティティＥ３であって開始予定日時を所定時間以上経過しているものについて当該キャンセル処理を行う。
【００８９】
また、管理サーバ２の情報管理部２２は、前述のグループウェアシステム６と会議室予約システム１の情報を同期する機能を備えている。情報管理部２２は所定の時間ごとにグループウェアシステム６と通信し、データベース２３に登録された予約エンティティＥ３の内容にもとづいて、グループウェアシステム６に予約登録を行う。更新又は削除等された予約エンティティＥ３についても同様にグループウェアシステム６に対して、データベース２３の予約エンティティＥ３とグループウェアシステム６の予約情報が一致するよう、グループウェアシステム６に所定の要求を行う。また、グループウェアシステム６において予約が登録、更新、削除されている場合には、グループウェアシステム６から該当する情報を取得し、データベース２３に反映する。これにより、すでにグループウェアシステムを導入済みの組織等においては、既存のグループウェアシステムを変更等することなく、会議室予約システム１を追加的に導入することができるので、導入時のコストを低減することができる。また、新規のシステム導入には利用者の不慣れ等による障害が発生することがあるが、既存のグループウェアシステムをそのまま利用できる本実施形態では、上記障害の発生を効果的に抑制することができる。
【００９０】
データベース２３で管理される予約エンティティＥ３は、予約段階における利用の開始予定日時及び終了予定日時の他に、実際に会議室を利用した際の開始日時及び終了日時を有している。これにより、会議室予約システム１は利用者の予約と実際の利用を別個の情報として保持することができるので、予約及び利用の実態を収集することができる。例えば予約のみを行って実際の利用を行わない傾向のある利用者に警告を行ったり、実際の利用時間に基づいて利用者に課金を行う等をすることができる。管理サーバ２は、予約エンティティＥ３の内容を所定の形式でログとして出力する機能を情報管理部２２に有していてもよい。当該機能はいわゆるバッチ処理として定期的に所定の場所にファイルとして予約情報を出力してもよいし、ＷＥＢアプリケーションの一部として、オペレータ等の操作に応じてファイルをダウンロード可能としてもよい。
【００９１】
本実施形態における部屋前端末５が、当該部屋前端末５が設置された会議室に関する予約、利用の各操作を行う端末であるのに対して、操作端末３は会議室予約システム１が管理するすべての会議室に対する予約等を行う端末である。操作端末３は施設の受付等に設置され、オペレータ等所定のスタッフが操作することにより、会議室の予約を行う。会議室の予約は、部屋前端末５と同様に管理サーバ２と通信するＷＥＢアプリケーションによって機能を提供してもよいが、本実施形態では前述したようにグループウェアシステム６との連携手段を備えているため、当該グループウェアシステム６のクライアント端末をもって操作端末３としてもよい。また、操作端末３が、利用人数や会議室内に設置された装置による会議室の検索機能を提供するようにしてもよいし、週ごとや月ごとの所定期間による複数回の利用を一括して予約する機能を提供するようにしてもよい。
【００９２】
本実施形態では、各会議室に設置された部屋前端末５は当該部屋前端末５が設置された会議室に関する予約、利用を行う機能を提供し、総合案内端末４はすべての会議室についての予約、利用、及び空室に関する情報を一括して表示する機能を提供し、操作端末３はすべての会議室についての予約、利用を行う機能を提供する。このように、部屋前端末５と、総合案内端末４と、操作端末３で提供する機能を分担することにより、各端末のインタフェースは当該端末が提供する機能に特化した、シンプルなものとすることができる。
【００９３】
前述の通り、本実施形態では会議室の所定の装置を制御する制御装置が会議室に設けられている。これを会議室内から制御するために、スマートフォンやタブレットＰＣ等の端末を部屋内端末として会議室に設け、上記装置の制御を行ってもよい。このとき、利用者が自身の所有するスマートフォン等端末をあらかじめ登録することにより、利用者が所有する上記端末を部屋内端末として使用できるようにしてもよい。
【００９４】
本実施形態の説明は以上であるが、本発明の構成は上記実施形態に限られるものではない。
例えば、本実施形態において会議室予約システム１はＷＥＢアプリケーションシステムとして構成したが、ＨＴＴＰではない他の通信プロトコルを用いたアプリケーションシステムとしてもよい。
また、ＷＥＢアプリケーションシステムのようなサーバ・クライアントモデルでなくてもよい。例えば、各部屋前端末５自体が、当該端末が設置された部屋の予約情報を管理するように構成したうえで、他の部屋に設置された部屋前端末５や操作端末３、総合案内端末４、或はグループウェアシステム６と通信するようにしてもよい。この場合には、管理サーバ２の機能を各部屋の部屋前端末５が分散して有する、すなわち、部屋前端末５が管理サーバ２を兼ねることになるので、独立した構成としての管理サーバ２は不要としてもよい。
また、会議室予約システム１がグループウェアシステム６の機能を有するように構成し、他のシステムと連携せずに単独で稼働可能な構成としてもよい。
さらに、会議室予約システム１が表示する画面における言語を、日本語、英語等複数の言語から利用者又は管理者が所望する一の言語から選択できるようにしてもよい。
【符号の説明】
【００９５】
１    会議室予約システム
２    管理サーバ
３    操作端末
４    総合案内端末
５    部屋前端末
６    グループウェアシステム
７    通信ネットワーク
【図１】
0006309362.tif 000002
【図２】
0006309362.tif 000003
【図３】
0006309362.tif 000004
【図４】
0006309362.tif 000005
【図５】
0006309362.tif 000006
【図６】
0006309362.tif 000007
【図７】
0006309362.tif 000008
【図８】
0006309362.tif 000009
【図９】
0006309362.tif 000010
【図１０】
0006309362.tif 000011